(57)【要約】【課題】  ゴルフバックに収納されたクラブを自動で検出し、クラブの過不足があったときに、プレイヤーに警告するゴルフクラブ管理方法及び管理装置を安価に提供すること。【解決手段】  ゴルフバック内に収納されたゴルフクラブに付けられたＩＣタグの記録情報をＩＣタグ検出手段によって検出するステップと、検出したＩＣタグの記録情報を所有者クラブリストとして記憶手段に登録するステップと、ゴルフ場の特定場所に設置された設備から信号を受信して前記ＩＣタグ検出手段によってゴルフバック内のゴルフクラブのＩＣタグの記録情報を検出するステップと、検出した記録情報と予め前記記憶手段に登録しておいた所有者クラブリストとを照合し、照合結果に基づいて、プレイヤーに警告するステップを有する。【選択図】      図１
2006223551.tif 000002
【特許請求の範囲】
【請求項１】
ＩＣタグが装着されたゴルフクラブの本数の変化をプレイヤーに警告するゴルフクラブ管理装置におけるゴルフクラブ管理方法であって、
ゴルフバック内に収納されたゴルフクラブに付けられたＩＣタグの記録情報をＩＣタグ検出手段によって検出するステップと、検出したＩＣタグの記録情報を所有者クラブリストとして記憶手段に登録するステップと、ゴルフ場の特定場所に設置された設備から信号を受信して前記ＩＣタグ検出手段によってゴルフバック内のゴルフクラブのＩＣタグの記録情報を検出するステップと、検出した記録情報と予め前記記憶手段に登録しておいた所有者クラブリストとを照合し、照合結果に基づいて、プレイヤーに警告するステップを有することを特徴とするゴルフクラブ管理方法。
【請求項２】
ＩＣタグが装着されたゴルフクラブの本数の変化をプレイヤーに警告するゴルフクラブ管理装置であって、
ゴルフバック内に収納されたゴルフクラブに付けられたＩＣタグの記録情報を検出するＩＣタグ検出手段と、検出したＩＣタグの記録情報を所有者クラブリストとして登録する記憶手段と、ゴルフ場の特定場所に設置された設備から信号を受信して前記ＩＣタグ検出手段によってゴルフバック内のゴルフクラブのＩＣタグの記録情報を検出し、検出した記録情報と予め前記記憶手段に登録された所有者クラブリストとを照合し、照合結果に基づいて、プレイヤーに警告する警告手段とを有することを特徴とするゴルフクラブ管理装置。
【発明の詳細な説明】
【技術分野】
【０００１】
本発明は、ゴルフクラブ管理方法及びゴルフクラブ管理装置に関する。
【背景技術】
【０００２】
従来、ゴルフクラブ、又は、物品を管理する技術として、例えば、下記特許文献１及び特許文献２に記載のものが知られている。
下記特許文献１に記載のものは、ゴルフクラブ１本づつを分けて収納するクラブ収納部を有するゴルフバックの各クラブ収納部に、クラブ検知センサを設けた装置に関するものである。
これは、クラブ検知センサからのクラブ検知信号に基づいてクラブ本数を確認する制御部と、制御部でクラブ本数が既定数に一致しないこと判定したときに報知を行う出力部とを備えた構成となっている。クラブ収納部に予めパターの収納位置を決めておき、パター使用後に収納位置へパターが戻されたことを検知したときに制御部がクラブ本数を確認するというものである。
また、下記特許文献２に記載のものは、携帯する物品の管理方法及び物品管理装置に関するものである。各持ち物に、予めその物が何であるかを判断できるＩＤをタグの形で装着させておき、物品の携帯者は自分が保持している物品の登録を行う。また、現在の状況における状況依存必要物品リストと現在の状況では所持していけない物品であることを示す持ち出し不適リストを、携帯者の行動予定、又は、状況に対応して作成し、更新する。携帯者が携帯する物品を検出し、検出した物品とリストと照合することにより、物品が紛失していることや、持ち出し不適物品を検出したことを伝えるというものである。
【特許文献１】特開平７−３２８１５４号公報
【特許文献２】特開２０００−３６３８８７号公報
【発明の開示】
【発明が解決しようとする課題】
【０００３】
しかしながら、上記特許文献１に記載の技術は、パター収納位置へパターを戻したことを条件に自動でクラブ本数の確認を行えるものの、クラブを１本づつ区分けして収納するためのクラブ区分け具やクラブ検知センサなどの特殊な装置をゴルフバックに装着する必要があるという問題がある。
また、上記特許文献２に記載の技術は、自由に移動する個人が携帯する物品、又は、所定空間における物品の管理を目的としているため、随時、携帯者の行動予測に基づいて、状況依存必要物品リストと持ち出し不適リストを更新する必要がある。ゴルフではラウンドするときのコース順序が決められているため、必ず経由する場所が存在する。
また、所有するクラブの本数もラウンド中は変わらない。そのため、行動予測に基づいてリストを更新しても、効果は得られない。
【０００４】
本発明の目的は、ゴルフバックに収納されたクラブを自動で検出し、クラブの過不足があったときに、プレイヤーに警告するゴルフクラブ管理方法及び管理装置を安価な構成で提供することにある。
【課題を解決するための手段】
【０００５】
上記目的を達成するために、本発明に係るゴルフクラブ管理方法は、ゴルフバック内に収納されたゴルフクラブに付けられたＩＣタグの記録情報をＩＣタグ検出手段によって検出するステップと、検出したＩＣタグの記録情報を所有者クラブリストとして記憶手段に登録するステップと、ゴルフ場の特定場所に設置された設備から信号を受信して前記ＩＣタグ検出手段によってゴルフバック内のゴルフクラブのＩＣタグの記録情報を検出するステップと、検出した記録情報と予め前記記憶手段に登録しておいた所有者クラブリストとを照合し、照合結果に基づいて、プレイヤーに警告するステップを有することを特徴とする。
また、本発明に係るゴルフクラブ管理装置は、ゴルフバック内に収納されたゴルフクラブに付けられたＩＣタグの記録情報を検出するＩＣタグ検出手段と、検出したＩＣタグの記録情報を所有者クラブリストとして登録する記憶手段と、ゴルフ場の特定場所に設置された設備から信号を受信して前記ＩＣタグ検出手段によってゴルフバック内のゴルフクラブのＩＣタグの記録情報を検出し、検出した記録情報と予め前記記憶手段に登録された所有者クラブリストとを照合し、照合結果に基づいて、プレイヤーに警告する警告手段とを有することを特徴とする。
【発明の効果】
【０００６】
本発明によれば、外部設備から発信される信号により、自動的に所有クラブの管理が行われるので、プレイヤーがクラブを置き忘れたり、誤って他人のゴルフバックに入れても警告され、クラブの紛失を防止することができると共に、後発のプレイヤーやゴルフ場関係者に回収してもらう手間を省き、プレイの進行もスムーズに進めることができる。
【発明を実施するための最良の形態】
【０００７】
以下、本発明を実施する場合の一形態を図面を参照して具体的に説明する。
図１は、本発明のゴルフクラブ管理方法に係る管理手順の実施形態を示すフローチャートである。
まず、プレイヤーが所有する各ゴルフクラブ１１に対し、図２の例に示すように、所有者、クラブの種類、ゴルフクラブ１１の番号等の情報を記録させたＩＣタグ１０を装着（貼り付け）する（ステップ１）。
なお、図１では、使用する度にＩＣタグ１１を装着するように記載しているが、これに限る必要はない。初回利用時、又は、ゴルフクラブ１１の購入時に装着したままで着脱しないようにしてもよい。
次いで、プレイヤーが所有するゴルフクラブ１１の登録を行う（ステップ２）。
ゴルフクラブ１１の登録は、図３に示すように、ゴルフクラブ管理装置２１を用いて行う。なお、ゴルフクラブ管理装置２１はフロントで貸し出し、プレイヤーのゴルフバック２０に装着される。
また、ゴルフクラブ管理装置２１はプレイヤーの登録命令により、ゴルフクラブ１１に装着されたＩＣタグ１０を検出し、そのＩＣタグ１０に記録された所有者情報などをプレイヤー所有のゴルフクラブ管理装置２１内の記憶手段に設けたリストに登録する。
次いで、登録リストの確認を行う（ステップ３）。登録されたリストをゴルフクラブ管理装置２１の画面に表示し、誤ったものが登録されていないか、又は、検出されずリストに登録されていないクラブがないか確認する。
次いで、ＩＣタグ１０の検出指示を出す（ステップ４）。この検出指示は、図４、図５に示すように、各ホール終了後のカート道３０に設置されたゲート３１を通過する際、ゲート３１に設置された赤外線センサ３２がカートを感知することにより発信した無線信号を、ゴルフクラブ管理装置２１が受信することにより行われる。
検出指示が出されると、ゴルフクラブ管理装置２１に備えられたＩＣタグリーダが、周辺にあるゴルフクラブ１１に付けられたＩＣタグ１０の記録情報を検出する（ステップ５）。
次いで、ラウンド前に登録したリストと検出したリストを照合する（ステップ６）。
照合した結果、一致しなかった場合はプレイヤーに警告メッセージを出力する（ステップ７）。例えば、登録リストにあるが検出リストにない場合は、そのＩＣタグの記録情報を基に、図５に示すように「５番アイアンがありません」というような音声メッセージを出力してプレイヤーに伝える。
また、照合した結果の情報をゴルフクラブ管理装置２１によりフロントへ送信することで、フロントで誰のどのクラブが紛失したかを監視することができる。なお、このときの情報の通信は、公衆通信回線に無線によって接続することにより行う。
【０００８】
次に、ゴルフクラブ管理装置２０について、図６を用いて説明する。
図６は、ゴルフクラブ管理装置２１の機能ブロック図である。
ゴルフクラブ管理装置は、図６に示すように、制御部４０、所有クラブ登録部４１、受信部４２、ＩＣタグ検出部４３、記録部４４、照合処理部４５、画面出力部４６、音声出力部４７、通信部４８、表示部４９から成っている。
制御部４０は、所定の機能が実行できるように、全体を制御する。
所有クラブ登録部４１は、プレイヤーの所有クラブを記録部４４内のリストに登録する。
受信部４２は、ＩＣタグリーダに検出指示を出すための無線信号を図５のゲート３１から受信する。
ＩＣタグ検出部４３は、ＩＣタグリーダであり、周辺にあるクラブ１１に付けられたＩＣタグ１０の記録情報を検出する。
記録部４４は、登録された所有クラブのリスト、及び、ＩＣタグ検出部４３によって検出された情報を検出リストとして記録する。
照合処理部４５は、登録された所有クラブリストとＩＣタグ検出部４３で検出された検出リストの内容を照合し、その結果に基づいて、必要な処理を行う。
画面出力部４６は、所有クラブ登録部４１で登録されたリスト、及び、照合処理部４５の照合処理の結果を表示部４９に表示する。
音声出力部４７は、照合処理部４５の照合処理の結果、クラブの過不足があった場合に音声を出力する。
通信部４８は、フロントにある端末との通信を行う。
【０００９】
次に、照合処理部４５の照合処理について、図７を用いて説明する。
図７は、照合処理の手順を示すフローチャートである。
記録部４４の登録リストにあるもので検出リストにないものがある場合（ステップ５１：ＹＥＳ）、又は、登録リストにあるもの全てが検出リストにある場合（ステップ５１：ＮＯ）かつ、登録リストにないものが検出リストにある場合（ステップ５２：ＹＥＳ）は、警告を音声または表示部４９に出力して（ステップ５３）、終了する（ステップ５４）。
また、登録リストにあるもの全てが検出リストにある場合（ステップ５１：ＮＯ）で、登録リストにないものは検出リストにもない場合（ステップ５２：ＮＯ）は、終了する（ステップ５４）。
【図面の簡単な説明】
【００１０】
【図１】本発明に係るゴルフクラブ管理の管理手順を示すフローチャートである。
【図２】ゴルフクラブへのＩＣタグの装着例を示す図である。
【図３】ゴルフクラブ管理装置によるＩＣタグの付いたクラブの登録を説明するための図である。
【図４】ＩＣタグリーダの起動方法を説明するための図である。
【図５】クラブに過不足があった時の動作を説明するための図である。
【図６】ゴルフクラブ管理装置の機能ブロック図である。
【図７】照合処理の手順を示すフローチャートである。
【符号の説明】
【００１１】
１０    ＩＣタグ
１１    ゴルフクラブ
２０    ゴルフバック
２１    ゴルフクラブ管理装置
３０    カーと道
３１    ゲート
３２    赤外線センサ
３３    カート
４０    制御部
４１    所有クラブ登録部
４２    受信部
４３    ＩＣタグ検出部
４４    記録部
４５    照合処理部
４６    画面出力部
４７    音声出力部
４８    通信部
４９    表示部
【図１】
2006223551.tif 000003
【図２】
2006223551.tif 000004
【図３】
2006223551.tif 000005
【図４】
2006223551.tif 000006
【図５】
2006223551.tif 000007
【図６】
2006223551.tif 000008
【図７】
2006223551.tif 000009